(57)【特許請求の範囲】
【請求項１】
透光性の合成樹脂材料からなるシート材を絞り加工することによって凹部あるいは凸部による絞り部が形成される樹脂基板と、前記樹脂基板に設けられる不透過層からなる地色部と、前記樹脂基板に設けられる透過層からなる表示意匠部と、を有する表示板において、前記絞り部の領域を含んで設けられる前記地色部と、前記地色部箇所を除く前記透過層が設けられる領域およびこの透過層が設けられる領域と連続して前記絞り部に設けられた前記地色部の一部の領域に重ね合わせて前記透過層が設けられる領域による前記表示意匠部と、からなることを特徴とする表示板。
【請求項２】
前記表示意匠部は、目盛からなることを特徴とする請求項１に記載の表示板。
【請求項３】
前記樹脂基板に絞り加工によって得られる前記絞り部として、前記樹脂基板の平坦面部と、この平坦面部と連続して絞り加工された傾斜面部とからなることを特徴とする請求項１または請求項２に記載の表示板。
【請求項４】
前記樹脂基板に絞り加工によって得られる前記絞り部として、適宜な間隔を介して複数個の前記絞り部を設け、前記各絞り部によりほぼ並行となる各平坦面部と、この各平坦面部との間を繋ぐ傾斜面部とを有することを特徴とする請求項１または請求項２に記載の表示板。
【請求項５】
前記表示意匠部は、前記傾斜面部に施してなることを特徴とする請求項３または請求項４に記載の表示板。
【請求項６】
前記表示意匠部は、前記傾斜面部および前記傾斜面部と連続する前記平坦面部に施してなることを特徴とする請求項３または請求項４に記載の表示板。
【請求項７】
前記表示意匠部を除く前記表示板の前面側に表示意匠部の縁取り部分を含んで表示板全体に不透過層からなる第２の地色部を施してなることを特徴とする請求項１から請求項６のいずれか１つに記載の表示板。
【発明の詳細な説明】
【技術分野】
【０００１】
本発明は、たとえば型成形によって立体形状に絞り加工される表示板に関するものであり、特に自動車やオートバイをはじめとする各種車両の計器装置に搭載される絞り加工が施された表示板に関するものである。
【背景技術】
【０００２】
従来、建設機械などの特殊車輌や船舶、あるいは自動車、オートバイ等に搭載される計器装置、たとえば速度計，回転計や燃料計などの運転状況を指示する指示計器の表示板を、その表示板の背後側から光源による照射光線によって透過照明するタイプの計器装置が知られている。通常、車両用などの計器装置は、目盛や文字・数字などからなる意匠部を有する表示板と、この表示板の裏面側に配設された発光ダイオードなどの光源を備えて構成されている。表示板においては、基本的に意匠部の目盛や文字・数字などを除く背景部分(地色部)は光が透過しない不透過部として構成され、目盛や文字・数字などの意匠部は光が透過する透過部として構成されている。このように構成された表示板にあっては、夜間などに光源にて表示板の背後から照明することで、表示板の意匠部（指標部）である目盛や文字・数字などの透過部を明るく透過表示させることができる。また、自動車などのメータパネルを含むインストルメントパネルなどにおいては、視認性の問題などに加え、見栄え、高級感、質感などが求められる。そのため、たとえば上記表示板を型成形によって立体形状に絞り成形した成形表示板が用いられるようになってきている。
【０００３】
この場合、表示板は、所定形状を有する一対の雄型、雌型によって絞り成形されることで、立体造形が付与されるものであるが、たとえば絞り加工が施される表示板は、事前に地色部と意匠部とがスクリーン印刷などの手段によって作製された表示板を加熱しながら圧空成形することによって凹部あるいは凸部による絞り加工が施され、目盛などの意匠部を含む所望の箇所が凹凸形状に形成されることにより立体感を高めた成形表示板が提案されている（特許文献１参照）。
【特許文献１】特開２００４−１８１６３９号
【発明の開示】
【発明が解決しようとする課題】
【０００４】
ところで、目盛は表示板の傾斜面部に施されることによって奥行き感がでるために見栄えも良く、質感も高めることができるというメリットがある。しかしながら、表示板自体を加熱しながら圧空成形するために、傾斜面部と平坦面部とによる絞り加工される領域、すなわち表示板に絞り加工によって設けられる凸部形状からなる絞り部（山折り箇所）の領域あるいは絞り加工によって設けられる凹部形状からなる絞り部（谷折り箇所）の領域の伸び率が異なるため、表示板に施された印刷層である意匠部、特に傾斜面部に施された目盛箇所の膜厚が絞り部箇所に近づくに連れて変化が著しくなり、結果として夜間の照明時において透過照明される目盛の透過率が場所によって異なるため輝度ムラが顕著に現れてしまう、といった問題を有していた。
【０００５】
また、この点を考慮して、印刷などの手段により施す目盛の印刷部位を、表示板に絞り加工によって設けられる絞り部領域から離れた箇所に施すことにより、絞り加工によってほとんど影響されることなく膜厚をほぼ一定に保つことが可能となる。しかし、目盛を施す領域が制限されるため運転者からすると目盛の大きさ（目盛の長手方向の長さ）が小さくなった状態となってしまい、昼間時においてたとえば車両用の計器装置にあっては、指針の指示状態が判読しづらいという問題があった。
【０００６】
本発明はかかる従来の問題点に鑑みてなされたものであって、昼間時においては意匠部を見やすく、夜間時においては透過照明される目盛などの意匠部の照明ムラ（輝度ムラ）を抑えることのできる表示板を提供することを目的とする。
【課題を解決するための手段】
【０００７】
本発明は、前述した課題を解決するため、請求項１では、透光性の合成樹脂材料からなるシート材を絞り加工することによって凹部あるいは凸部による絞り部が形成される樹脂基板と、前記樹脂基板に設けられる不透過層からなる地色部と、前記樹脂基板に設けられる透過層からなる表示意匠部と、を有する表示板において、前記絞り部の領域を含んで設けられる前記地色部と、前記地色部箇所を除く前記透過層が設けられる領域およびこの透過層が設けられる領域と連続して前記絞り部に設けられた前記地色部の一部の領域に重ね合わせて前記透過層が設けられる領域による前記表示意匠部と、からなることを特徴とする表示板である。
【０００８】
このように構成することにより、昼間においては、表示板に絞り加工によって設けられる絞り部領域の一部を含んで表示意匠部が施されるため、絞り加工による凹凸形態に沿って立体的で奥行き感があり、視認性の良好な表示板を提供することができる。また夜間の照明時においては、樹脂基板に絞り加工によって設けられた絞り部の領域の伸び率が異なったとしても、その絞り部箇所に施された不透過層からなる地色部によって透過する光を遮断することができ、これにより地色部箇所を除く領域および絞り部領域に施された前記地色部の一部に重ね合わせて透過層が施された表示意匠部において、その地色部の一部に重ね合わせて透過層を施した表示意匠部箇所を除いた他の表示意匠部の領域（膜厚がほぼ一定な領域）を均一的に透過照明することができ、従来のような輝度ムラを抑えることができ視認性を良好に保つことができる表示板を提供することができる。
【０００９】
また請求項２では、請求項１に記載の表示板において、前記表示意匠部は、目盛からなることを特徴とするものである。
【００１０】
このように構成することにより、昼間においては、表示板に絞り加工によって設けられる絞り部領域の一部を含んで表示意匠部となる目盛が施されるため、絞り加工による凹凸形態に沿って立体的で奥行き感があり、しかも目盛による意匠サイズの大型化が可能となるため視認性の良好な表示板を提供することができる。また夜間の照明時においては、樹脂基板に絞り加工によって設けられた絞り部の領域の伸び率が異なったとしても、その絞り部箇所に施された不透過層からなる地色部によって透過する光を遮断することができ、これにより地色部箇所を除く領域および絞り部領域に施された前記地色部の一部に重ね合わせて施された表示意匠部となる目盛において、その地色部の一部に重ね合わせて施した目盛箇所を除く他の目盛領域（膜厚がほぼ一定な領域）を均一的に透過照明することができ、従来のような輝度ムラを抑えることができ目盛自体の視認性を良好に保つことができる表示板を提供することができる。
【００１１】
また請求項３では、請求項１または請求項２に記載の表示板において、前記樹脂基板に絞り加工によって得られる前記絞り部として、前記樹脂基板の平坦面部と、この平坦面部と連続して絞り加工された傾斜面部とからなることを特徴とするものである。
【００１２】
このように構成することにより、平坦面部と連続して絞り加工された傾斜面部とから絞り部を形成してなることで意匠表示部を奥行き感を持たせつつ立体的に配設することができるものであり、高級感、質感を高めることが可能となる。
【００１３】
また請求項４では、請求項１または請求項２に記載の表示板において、前記樹脂基板に絞り加工によって得られる前記絞り部として、適宜な間隔を介して複数個の前記絞り部を設け、前記各絞り部によりほぼ並行となる各平坦面部と、この各平坦面部との間を繋ぐ傾斜面部とを有することを特徴とするものである。
【００１４】
このように構成することにより、複数の絞り部によりほぼ並行となる各平坦面部と、この各平坦面部との間を繋ぐ傾斜面部とを形成することによって、深みのある表示板を形成することができるとともに、複数の絞り部による段差箇所により表示板の補強効果も期待することができる。
【００１５】
また請求項５では、請求項３または請求項４に記載の表示板において、前記表示意匠部は、前記傾斜面部に施してなることを特徴とするものである。
【００１６】
このように構成することにより、表示板の傾斜面部に表示意匠部が施されるため奥行き感が助長され、しかも照明効果も良好に保つことが可能となる。
【００１７】
また請求項６では、請求項３または請求項４に記載の表示板において、前記表示意匠部は、前記傾斜面部および前記傾斜面部と連続する前記平坦面部にそれぞれ施してなることを特徴とするものである。
【００１８】
このように構成することにより、表示板に絞り加工によって設けられる傾斜面部と平坦面部との絞り部領域の一部を含んで表示意匠部が施されるため、絞り加工による傾斜面部および平坦面部の形態に沿いながら立体的で奥行き感があり、しかも意匠表示部のサイズの大型化が可能となるため視認性の良好な表示板を提供することができる。
【００１９】
また請求項７では、請求項１から請求項６のいずれか１つに記載の表示板において、前記表示意匠部を除く前記表示板の前面側に表示意匠部の縁取り部分を含んで表示板全体に第２の地色部を施してなることを特徴とするものである。
【００２０】
このように構成することにより、上下二層からなる地色部によって表示板自体の遮光効果を高めることができるとともに、第２の地色部によって表示意匠部の縁取り部分を形成することができるため、表示意匠部の輪郭となる縁取り部分によって境目を明確にすることができるものであり、見やすい表示意匠部を形成することができる。
【発明の効果】
【００２１】
本発明では、透光性の合成樹脂材料からなるシート材を絞り加工することによって凹部あるいは凸部による絞り部が形成される樹脂基板と、前記樹脂基板に設けられる不透過層からなる地色部と、前記樹脂基板に設けられる透過層からなる表示意匠部と、を有する表示板において、前記絞り部の領域を含んで設けられる前記地色部と、前記地色部箇所を除く前記透過層が設けられる領域およびこの透過層が設けられる領域と連続して前記絞り部に設けられた前記地色部の一部の領域に重ね合わせて前記透過層が設けられる領域による前記表示意匠部と、からなることを特徴とする表示板であるため、昼間においては、表示板に絞り加工によって設けられる絞り部領域の一部を含んで表示意匠部が施されるため絞り加工による凹凸形態に沿って立体的で奥行き感があり、視認性の良好な表示板を提供することができる。また夜間の照明時においては、樹脂基板に絞り加工によって設けられた絞り部の領域の伸び率が異なったとしても、その絞り部箇所に施された不透過層からなる地色部によって透過する光を遮断することができ、これにより地色部箇所を除く領域および絞り部領域に施された前記地色部の一部に重ね合わせて施された表示意匠部において、その地色部の一部に重ね合わせて施した表示意匠部箇所を除いた他の表示意匠部の領域（膜厚がほぼ一定な領域）を均一的に透過照明することができ、従来のような輝度ムラを抑えることができ視認性を良好に保つことができる表示板を提供することができるものであり、これにより初期の目的を達成することができる。
【発明を実施するための最良の形態】
【００２２】
以下、添付図面に基づいて、本発明を車両用の計器装置に搭載される表示板に適用した実施形態に基づいて説明する。
【００２３】
図１から図４は本発明の第１の実施形態を示すもので、図１は計器装置の主要部を示す正面図、図２は図１のＡ−Ａ線箇所の計器装置を示す断面図、図３は表示板の要部を示す正面図およびその断面図、図４は図３の表示板の要部を示す正面図およびその拡大断面図である。
【００２４】
本実施形態による表示装置においては、各種情報を表示する表示部材Ｄとして中央に速度計からなる指示計器と、左側に燃料計、右側に温度計からなる指示計器などが配置され、それぞれが外装部材であるケース１内に組み付け固定される。
【００２５】
この場合、速度計や燃料計、水温計などの各種情報を表示する表示部材Ｄである各指示計器にあっては、図２などに示すように、合成樹脂製の枠状からなるホルダー２の背後に硬質からなる回路基板３が組み付け固定されるとともに、この回路基板３の背後側に各指示計器の一部を構成する計器本体Ｍ（ムーブメント）がそれぞれ組み付け固定されており、この各計器本体Ｍに設けられた指針軸の先端側に、指針軸を軸芯として回転する指針４がそれぞれ圧入固定されている。この実施例における指針構造としては、透明な合成樹脂たとえばアクリル樹脂にて形成された発光タイプの指針４を用いている。
【００２６】
また前記指針４の背後側に位置しホルダー２の前面側には、目盛５や数字６などからなる表示意匠部７と、この表示意匠部７の背景とを形成する地色部８とが施された表示板９が配設されている。また前記回路基板３上には、枠状のホルダー２内に臨んで前記表示板９の表示意匠部７を透過照明するための発光ダイオードからなる光源Ｌ１と、前記指針４を発光照明するための発光ダイオードからなる光源Ｌ２とが実装されている。  
【００２７】
また、第１の実施形態にあっては、表示板９は透明な合成樹脂材料からなる平板状の樹脂基板（シート材）からなり、表示板９の表面には、指針４の回転軌道に沿って目盛５や数字６による表示意匠部７が円弧状に所定間隔を配して配列するように設けられている。この際、表示板９には、計器本体Ｍ側に取り付けられる指針４の基部側を挿通することができるように貫通孔９Ａが設けられている。また目盛５や数字６による表示意匠部７箇所は、光源Ｌ１によって透過照明されるたとえば白色の透過層がスクリーン印刷などの手段によって形成され、その透過照明される目盛５や数字６による表示意匠部７の領域を除いて表示板９の表面全体に地色部８となる不透過（遮光性）の黒色の地色層（遮光層）がスクリーン印刷などの手段によって形成されている。
【００２８】
このように予め印刷などの手段によって地色部８と表示意匠部７とが形成されたシート状の樹脂基板からなる表示板９は、所定形状を有する成形装置（図示せず）にセットし、成形装置によって絞り成形されることで、立体造形が付与される。たとえば絞り加工が施される表示板９は、事前に地色部８と表示意匠部７とがスクリーン印刷などの手段によって作製された表示板９を加熱しながら圧空成形することによって凹部あるいは凸部による絞り加工が施され、目盛５や数字６などの表示意匠部７を含む所望の箇所が凹凸形状に形成される。
【００２９】
この際、図２から図４などに示すように、各指示計器位置に対応するシート状の表示板９の中央領域が背後側に奥まった状態に凹む形状(断面凹形状)に形成されており、表示板９には、表示板９上の貫通孔９Ａの周縁から外側に向けて延びる平坦面部９０と、この平坦面部９０を取り巻くように前方側（図２、図３中においては上側）に傾斜して延びる傾斜面部９１と、この傾斜面部９１から外側に向けて平坦面部９０と平行に延びる平坦面部９２とを有している。この場合、平坦面部９０と傾斜面部９１とによる絞り加工される領域、すなわち表示板９に絞り加工によって設けられる凹部形状からなる第１の絞り部９３（谷折り箇所）が形成され、また傾斜面部９１と平坦面部９２とによる絞り加工される領域によって設けられる凸部形状からなる第２の絞り部９４（山折り箇所）が形成される。
【００３０】
また、この第１の実施形態では、指示計器の中央に位置する平坦面部９０には、ほぼ円形の平面形状を有し、その外周縁側に透過照明可能な数字６による表示意匠部７を配置し、傾斜面部９１には、指針４が挿通される貫通孔９Ａを中心として放射方向に沿って延びる透過照明可能な目盛５による表示意匠部７を配置してそれぞれの表示意匠部７によって奥行き感が得られるように配置している。
【００３１】
第１の実施形態では、特に山折りとなる第２の絞り部９４箇所、すなわち傾斜面部９１と平坦面部９２との突き合わせ箇所に相当する領域においては、外側に向けて絞り加工される領域の伸び率が大きくなりやすいという不具合が予測されるが、この第２の絞り部９４箇所である傾斜面部９１と平坦面部９２との突き合わせ箇所を含んで地色部８が印刷形成されている。また谷折りとなる第１の絞り部９３箇所に近い領域においても、部分的に絞り加工される領域の伸び率が異なりやすい箇所も同様に地色部８が印刷形成されている。
【００３２】
また第１の実施形態においては、絞り加工によって形成される中央部分に設けられた平坦面部９０に施される数字６による表示意匠部７については全体的に平均した伸び率となるためさほど問題はないが、傾斜面部９１の領域に施される目盛５による表示意匠部７については従来の透過輝度が異なることによる照明ムラの課題を解決するために対策として以下の手段を講じている。すなわち、前述したように第２の絞り部９４箇所である傾斜面部９１と平坦面部９２との突き合わせ箇所を含んで地色部８が印刷形成されるとともに、谷折りとなる第１の絞り部９３箇所に近い領域においても、部分的に絞り加工される領域の伸び率が異なりやすい箇所も同様に地色部８を印刷形成している。そして、傾斜面部９１の領域に施される目盛５による表示意匠部７としては、目盛５の長手方向において、地色部８箇所を除く領域ｂに施した白色の透過層部分および前記絞り部９３，９４領域に施された地色部８の一部に重ね合わせて施された領域ｃである白色の透過層部分とによって全体の目盛５の長手方向の領域ａからなる表示意匠部７を形成している。
【００３３】
このように構成された第１の実施形態における表示板９にあっては、本来のねらいである立体的に絞り加工される表示板９によって質感を高めながら奥行き感を強調することができるものであり、その表示板９の平坦面部９０および傾斜面部９１にそれぞれ表示指標部７を施すことによりさらに奥行き感が助長される。
【００３４】
また、図２、図３および図４などから明らかなように、傾斜面部９１に施されている目盛５からなる表示意匠部７は、昼間においては、表示板９に絞り加工によって設けられる絞り部９３，９４の領域の一部（傾斜面部９１）を含んで透過層からなる目盛５による表示意匠部７が施されるため、絞り加工による凹凸形態に沿って立体的で奥行き感があり、しかも傾斜面部９１の領域に施される目盛５による表示意匠部７としては、目盛５の長手方向において、地色部８箇所を除く領域ｂに施した白色の透過層部分および前記絞り部９３，９４領域に施された地色部８の一部に重ね合わせて施された領域ｃである白色の透過層部分とによって全体の目盛５の長手方向の領域ａからなる表示意匠部７を形成しているため、目盛５の長手方向に沿った意匠サイズの大型化が可能となるため視認性の良好な表示板９を提供することができる。また夜間の照明時においては、樹脂基板に絞り加工によって設けられた絞り部９３，９４の領域の伸び率が異なったとしても、その絞り部９３，９４箇所に施された不透過層からなる地色部８によって透過する光を遮断することができる。これにより地色部８箇所を除く領域ｂおよび絞り部９３，９４領域に施された前記地色部８の一部に重ね合わせて施された領域ｃとからなる表示意匠部７となる目盛５において、その地色部８の一部に重ね合わせて施した目盛５箇所(領域ｃ)を除いた膜厚がほぼ一定な領域となる他の目盛５領域ｂ（地色部８箇所を除く領域）のみを透過照明可能に設けることによって均一的に透過照明することができ、従来のような輝度ムラを抑えることができ視認性を良好に保つことができる表示板９を提供することができる。
【００３５】
図５から図８は、本発明の第２の実施形態を示すものであり、図５は計器装置の主要部を示す正面図、図６は、図５のＡ−Ａ線箇所の計器装置を示す断面図、図７は図６の表示板の要部を示す正面図およびその拡大断面図、図８は目盛による表示意匠部を主体に示した表示板の斜視図であり、この場合、表示板９は、前述した第１の実施形態例とほぼ同様にして、透明な合成樹脂からなる平板状の樹脂基板によって形成されている。
【００３６】
ここでは、速度計や燃料計、水温計などの各種情報を表示する表示部材Ｄである各指示計器に合わせてそれぞれ独立して表示板９を設けている。表示板９の表面には、指針４の回転軌道に沿って目盛５Ａや数字６Ａによる表示意匠部７Ａが円弧状に所定間隔を配して配列するように設けられている。この際、表示板９には、計器本体Ｍ側に取り付けられる指針４の基部側を挿通することができるように貫通孔９Ａが設けられている。また目盛５Ａや数字６Ａによる表示意匠部７Ａ箇所は、光源Ｌ１によって透過照明されるたとえば白色の透過層がスクリーン印刷などの手段によって形成され、その透過照明される目盛５Ａや数字６Ａによる表示意匠部７Ａの領域を除いて表示板９の表面全体に地色部８Ａとなる不透過（遮光性）の黒色の地色層（遮光層）がスクリーン印刷などの手段によって形成されている。
【００３７】
このように予め印刷などの手段によって地色部８Ａと表示意匠部７Ａとが形成されたシート状の樹脂基板からなる表示板９は、所定形状を有する成形装置（図示せず）にセットし、成形装置によって絞り成形されることで、立体造形が付与される。
【００３８】
この際、図６、図７および図８などに示すように、各指示計器位置に対応する表示板９の中央領域が背後側に奥まった状態に凹む形状(断面凹形状)に形成されており、表示板９には、表示板９上の貫通孔９Ａの周縁から外側に向けて延びる平坦面部９０Ａと、この平坦面部９０Ａを取り巻くように前方側（図６，図７中においては上側）に傾斜して延びる傾斜面部９１Ａと、この傾斜面部９１Ａから外側に向けて平坦面部９０Ａと平行に延びる平坦面部９２Ａとを有している。この場合、平坦面部９０Ａと傾斜面部９１Ａとによる絞り加工される領域、すなわち表示板９に絞り加工によって設けられる凹部形状からなる第１の絞り部９３Ａ（谷折り箇所）が形成され、また傾斜面部９１Ａと平坦面部９２Ａとによる絞り加工される領域によって設けられる凸部形状からなる第２の絞り部９４Ａ（山折り箇所）が形成される。
【００３９】
また、この第２の実施形態では、指示計器の中央に位置する平坦面部９０Ａには、ほぼ円形の平面形状を有し、その外周縁側に透過照明可能な数字６Ａによる表示意匠部７Ａを配置し、傾斜面部９１Ａおよび平坦面部９２Ａの表面部分には、指針４が挿通される貫通孔９Ａを中心として放射方向に沿って延びる透過照明可能な目盛５Ａによる表示意匠部７Ａを配置してそれぞれの表示意匠部７Ａ（目盛５Ａ，数字６Ａ）によって奥行き感が得られるように配置している。
【００４０】
第２の実施形態では、特に山折りとなる第２の絞り部９４Ａ箇所、すなわち傾斜面部９１Ａと平坦面部９２Ａとの突き合わせ箇所に相当する領域においては、外側に向けて絞り加工される領域の伸び率が大きくなりやすいという不具合が予測されるが、この第２の絞り部９４Ａ箇所である傾斜面部９１Ａと平坦面部９２Ａとの突き合わせ箇所を含んで地色部８Ａが印刷形成されている。
【００４１】
また第２の実施形態においては、絞り加工によって形成される中央部分に設けられた平坦面部９０Ａに施される数字６Ａによる表示意匠部７Ａについては全体的に平均した伸び率となるためさほど問題はないが、傾斜面部９１Ａおよびこの傾斜面部９１Ａと連続した平坦面部９２Ａの領域に沿って連なって施される目盛５Ａによる表示意匠部７Ａについては従来の透過輝度が異なることによる照明ムラの課題を解決するために対策として以下の手段を講じている。すなわち、第２の絞り部９４Ａ箇所である傾斜面部９１Ａと平坦面部９２Ａとの突き合わせ箇所を含んで地色部８Ａを印刷形成している。
【００４２】
そして、傾斜面部９１Ａおよび傾斜面部９１Ａと連続した平坦面部９２Ａの領域に沿って施される目盛５Ａによる表示意匠部７Ａとしては、目盛５Ａの長手方向において、地色部８Ａ箇所を除く二箇所の領域ｂ１，ｂ２に施した白色の透過層部分および前記絞り部９４Ａ領域に施された地色部８Ａの一部に重ね合わせて施された領域ｃである白色の透過層部分とによって全体の目盛５Ａの長手方向の領域ａからなる表示意匠部７Ａを形成している。
【００４３】
このように構成された第２の実施形態における表示板９にあっては、第１の実施形態と同様にして本来のねらいである立体的に絞り加工される表示板９によって質感を高めながら奥行き感を強調することができるものであり、その表示板９の平坦面部９０Ａに数字６Ａからなる表示意匠部７Ａが形成されるとともに，傾斜面部９１Ａおよび平坦面９２Ａにそれぞれ表示指標部７Ａを施すことにより、さらに奥行き感が助長される。
【００４４】
また、図６や図７および図８などから明らかなように、傾斜面部９１Ａと平坦面部９２Ａとに連続して施されている目盛５Ａからなる表示意匠部７Ａは、昼間においては、表示板９に絞り加工によって設けられる絞り部９４Ａの領域の一部を含んで透過層からなる目盛５Ａによる表示意匠部７Ａが施されるため、絞り加工による凹凸形態に沿って立体的で奥行き感があり、しかも傾斜面部９１および平坦面部９２の領域に連続して施される目盛５Ａによる表示意匠部７Ａとしては、目盛５Ａの長手方向において、地色部８Ａ箇所を除く領域ｂ１，ｂ２に施した白色の透過層部分および前記絞り部９４Ａ領域に施された地色部８Ａの一部に重ね合わせて施された領域ｃである白色の透過層部分とによって全体の目盛５Ａの長手方向の領域ａからなる表示意匠部７Ａを形成しているため、目盛５Ａの長手方向に沿った意匠サイズの大型化が可能となるため視認性の良好な表示板９を提供することができる。
【００４５】
また夜間の照明時においては、樹脂基板に絞り加工によって設けられた絞り部９４Ａの領域の伸び率が異なったとしても、その絞り部９４Ａ箇所に施された不透過層からなる地色部８Ａによって透過する光を遮断することができる。これにより地色部８Ａ箇所を除く領域ｂ１，ｂ２および絞り部９４Ａ領域に施された前記地色部８Ａの一部に重ね合わせて施された領域ｃとからなる表示意匠部７Ａとなる目盛５Ａにおいて、その地色部８Ａの一部に重ね合わせて施した目盛５Ａ箇所(領域ｃ)を除いた他の目盛５Ａ領域ｂ１，ｂ２（地色部８Ａ箇所を除く領域）のみを透過照明可能に設けることによって均一的に透過照明することができ、従来のような輝度ムラを抑えることができ視認性を良好に保つことができる表示板９を提供することができる。
【００４６】
なお、第２の実施形態にあっては、目盛５Ａの透過照明時において、傾斜面部９１Ａと平坦面部９２Ａの表面上にそれぞれ分離状態にて目盛５Ａ領域ｂ１部分と目盛５Ａ領域ｂ２部分とが透過照明されるされるため、視認性がさらに良好となり、深みのある立体的な表示板９を提供することができる。この際、透過照明される目盛５Ａ領域ｂ１部分と目盛５Ａ領域ｂ２部分とを均一的に明るく照らし出すことができ、指針４によって指示する状態を各目盛５Ａ領域ｂ１部分と目盛５Ａ領域ｂ２部分に対して良好に対比判読することができる。
【００４７】
図９および図１０は、本発明の第３の実施形態を示すものであり、図９は計器装置の表示板を示す正面図とその主要部を示す断面図、図１０は、図９の表示板の目盛による表示意匠部を主体に示した斜視図であり、この場合、表示板９は、前述した第２の実施形態例とほぼ同様にして、透明な合成樹脂からなる平板状の樹脂基板によって形成されている。
【００４８】
すなわち、第３の実施形態では、図９などに示すように、各指示計器位置に対応する表示板９の中央領域が背後側に奥まった状態に凹む形状(断面凹形状)に形成されており、表示板９には、表示板９上の貫通孔９Ａの周縁から外側に向けて延びる平坦面部９０Ａと、この平坦面部９０Ａを取り巻くように前方側（図９中においては上側）に傾斜して延びる傾斜面部９１Ａと、この傾斜面部９１Ａから外側に向けて平坦面部９０Ａと平行に延びる平坦面部９２Ａとを有している。この場合、平坦面部９０Ａと傾斜面部９１Ａとによる絞り加工される領域、すなわち表示板９に絞り加工によって設けられる凹部形状からなる第１の絞り部９３Ａ（谷折り箇所）が形成され、また傾斜面部９１Ａと平坦面部９２Ａとによる絞り加工される領域によって設けられる凸部形状からなる第２の絞り部９４Ａ（山折り箇所）が形成されている。
【００４９】
また、この第３の実施形態では、指示計器の中央に位置するほぼ円形の平面形状からなる平坦面部９０Ａには、その外周縁側に透過照明可能な数字６Ａによる表示意匠部７Ａが形成されている。また、指針４が挿通される貫通孔９Ａを中心として放射方向に沿って延びる透過照明可能な目盛５Ａによる表示意匠部７Ａが平坦面部９０Ａと傾斜面部９１Ａおよび平坦面部９２Ａの表面部分に跨って連続してを形成されており、それぞれの表示意匠部７Ａ（目盛５Ａ，数字６Ａ）によって奥行き感が得られるように配置している。
【００５０】
第３の実施形態では、特に山折りとなる第２の絞り部９４Ａ箇所、すなわち傾斜面部９１Ａと平坦面部９２Ａとの突き合わせ箇所に相当する領域においては、外側に向けて絞り加工される領域の伸び率が大きくなりやすいことが予測されるため、この第２の絞り部９４Ａ箇所である傾斜面部９１Ａと平坦面部９２Ａとの突き合わせ箇所を含んで地色部８Ａが幅広く印刷形成されており、また谷折りとなる第１の絞り部９３Ａ箇所に近い領域においても、部分的に絞り加工される領域の伸び率が異なりやすい箇所にも同様に地色部８Ａが印刷形成されている。
【００５１】
また、表示板９には、表示意匠部７Ａを除く表示板９の前面側に表示意匠部７Ａの縁取り部分を含んで表示板全体に第２の地色部８Ｂを施している。
【００５２】
この際、第１の地色部８Ａは表示意匠部７Ａが透過可能な領域を除いた示板９の全面に印刷などの手段によって施し、次いでその上にたとえば白色からなる透過層を表示板９全体に印刷を施し、続いて前述したように第２の地色部８Ｂを重ねて印刷するようにしている。
【００５３】
このように構成された第３の実施形態における表示板９にあっては、前述した第１の実施形態や第２の実施形態とほぼ同様な効果を得ることができるとともに、上下二層からなる地色部８Ａ、８Ｂによって表示板９自体の遮光効果を高めることができ、第２の地色部８Ｂによって表示意匠部７Ａの縁取り部分を形成することができるため、表示意匠部７Ａの輪郭となる縁取り部分によって境目を明確にすることができるものであり、見やすい表示意匠部７Ａを形成することができる。
【００５４】
また、表示板９の絞り加工による形態（実施態様例）としては、図１１（Ａ）に示すように表示板９の周縁部を谷折り状態に絞り部９３として加工して成形したものや、図１１（Ｂ）に示すように表示板９の周縁部を山折り状態に絞り部９４として加工して形成したもの、あるいは図１１（Ｃ）に示すように中央部を円弧状に湾曲形状に成形し、外郭周縁部を谷折り状態に絞り部９３として加工することによって成形するものなど様々な形状に絞り加工によって成形することが可能であり、この際、表示板９に絞り加工によって設けられる絞り部９３、９４領域の一部を含んで表示意匠部７が施されるため、絞り加工による凹凸形態に沿って立体的で奥行き感があり、視認性の良好な表示板９を提供することができる。
【００５５】
また夜間の照明時においては、樹脂基板に絞り加工によって設けられた絞り部９３，９４の領域の伸び率が異なったとしても、その絞り部９３，９４箇所に施された不透過層からなる地色部８によって透過する光を遮断することができ、これにより地色部８箇所を除く領域および絞り部９３，９４領域に施された前記地色部８の一部に重ね合わせて施された表示意匠部７において、その地色部８の一部に重ね合わせて施した表示意匠部７箇所を他の表示意匠部７の領域を均一的に透過照明することができ、従来のような輝度ムラを抑えることができ目盛８自体の視認性を良好に保つことのできる表示板９を提供することができる。
【００５６】
なお本発明は、前述した実施例に限定されるものではなく本発明の要旨の範囲内において種々の変形実施が可能である。たとえば、各実施形態においては、表示板上に設けられる表示意匠部として指針を基点とした円弧状からなる表示意匠部として形成していたが、楕円状であったり枠状など適宜に設定すればよいものであり、また表示板９に施す表示意匠部７として白色の透過層がスクリーン印刷などの手段によって形成していたが、グレーやオレンジ、グリーンなど他の色合いからなる透過層によって形成しても良いものであり、また絞り加工によって成形される表示板９の傾斜面部の角度や幅あるいは板厚などの絞り部箇所の条件によって、不透過層からなる地色部の印刷する領域を適宜設定する必要があるとともに、場合によっては印刷の厚みを変えたりあるいは重ね印刷を施すことにより不透過処理する条件を変更することにより表示意匠部７の透過光量（透過率）を任意に設定することも可能であり、また表示板９の背後から照明する光源による照射光量を設定する場合にあっては、たとえば表示板９の裏面側にて調光用の印刷を施すことによって照射光量を任意に設定することが可能である。
【図面の簡単な説明】
【００５７】
【図１】図１は、本発明の第１の実施形態である計器装置を示す正面図。
【図２】図２は、図１のＡ−Ａ線箇所の計器装置を示す断面図。
【図３】図３は、図１の表示板の要部を示す正面図およびその断面図。
【図４】図４は、図３の表示板の要部を示す正面図およびその拡大断面図。
【図５】図５は、本発明の第２の実施形態を示す計器装置の正面図。
【図６】図６は、図５のＡ−Ａ線箇所の計器装置の要部箇所を示す断面図。
【図７】図７は、図６の表示板の要部を示す正面図およびその拡大断面図。
【図８】図８は、図７の目盛による表示意匠部を主体に示した表示板の斜視図。
【図９】図９は、本発明の第３の実施形態である計器装置の表示板を示す正面図とその主要部を示す断面図。
【図１０】図１０は、図９の表示板の目盛による表示意匠部を主体に示した斜視図。
【図１１】図１１（Ａ）（Ｂ）（Ｃ）は、表示板の他の実施態様例を示すそれぞれの要部断面図。
【符号の説明】
【００５８】
１    ケース（外装部材）
２    ホルダー
３    回路基板
４    指針
５，５Ａ    目盛
６，６Ａ    数字
７，７Ａ    表示意匠部
８，８Ａ    地色部文字板
９    表示板
９０，９０Ａ    平坦面部
９１，９１Ａ    傾斜面部
９２，９２Ａ    平坦面部
９３，９３Ａ    第１の絞り部
９４，９４Ａ    第２の絞り部
Ｄ    表示部材
Ｌ１，Ｌ２    光源（発光ダイオード）
Ｍ    計器本体（ムーブメント）
【図１】
0004766275.tif 000002
【図２】
0004766275.tif 000003
【図３】
0004766275.tif 000004
【図４】
0004766275.tif 000005
【図５】
0004766275.tif 000006
【図６】
0004766275.tif 000007
【図７】
0004766275.tif 000008
【図８】
0004766275.tif 000009
【図９】
0004766275.tif 000010
【図１０】
0004766275.tif 000011
【図１１】
0004766275.tif 000012